(57)【要約】【課題】互いに別々の筐体に設置され、スライドが可能に構成した第１の部材であるキーボード装置部と第２の部材であるディスプレイ装置部とから成る携帯端末において、第１の部材と第２の部材を相対的にスライドできるスライド機能と、第２の部材と第１の部材に対して水平方向へ回転させる回転機能を合わせ持った携帯端末用取付装置を提供する。【解決手段】キーボード部を備えた第１の部材と、ディスプレイ装置を備えた第２の部材とを、互いに別々の筐体に設けた携帯端末の、前記第１の部材と第２の部材を相対的にスライド可能かつ水平方向へ回転可能に連結するものであって、前記第１の部材と前記第２の部材のいずれか一方のものの長手方向に取り付けられるガイド長孔を備えた本体部と、この本体部に前記ガイド長孔を介してスライド可能に取り付けられ、かつ前記第１の部材と第２の部材のいずれか他方のものに取り付けられて当該他方のものを水平方向へ回転可能と成す可動部と、で構成する。【選択図】          図３
2004320549.tif 000002
【特許請求の範囲】
【請求項１】
キーボード部を備えた第１の部材と、ディスプレイ装置を備えた第２の部材とを、互いに別々の筐体に設けた携帯端末の、前記第１の部材と第２の部材を相対的にスライド可能かつ水平方向へ回転可能に連結するものであって、前記第１の部材と前記第２の部材のいずれか一方のものの長手方向に取り付けられるガイド長孔を備えた本体部と、この本体部に前記ガイド長孔を介してスライド可能に取り付けられ、かつ前記第１の部材と第２の部材のいずれか他方のものに取り付けられて当該他方のものを水平方向へ回転可能と成す可動部と、で構成したことを特徴とする、携帯端末用取付装置。
【請求項２】
前記可動部を前記本体部に対しスライド可能に取り付けるに当り、前記本体部をガイド長溝を設けたケース本体とガイド長孔を設けた蓋部とで構成し、前記可動部を、前記ガイド長孔を貫通させる首部と、前記ガイド長溝に嵌合させる脚部とを備えたもので構成し、前記可動部を前記本体部に対し回転可能に取り付けるに当り、前記ガイド長溝に続いて前記脚部の旋回を許容するガイド凹部を設けたことを特徴とする、請求項１に記載の携帯端末用取付装置。
【請求項３】
前記本体部と前記可動部との間には、該可動部を所定の位置で安定停止させるロック手段が設けられており、このロック手段は前記可動部の一部を挟むべく互いの対向方向へ摺動付勢されている一対のロックプレートで構成されていることを特徴とする、請求項１に記載の携帯端末用取付装置。
【請求項４】
前記第１の部材と前記第２の部材を相対的に水平方向へ回転させる手段は、前記可動部を取り付けた側の部材と該可動部との間に設けられていることを特徴とする、請求項１に記載の携帯端末用取付装置。
【請求項５】
前記可動部を所定の位置で停止させるロック手段は、一方向へ摺動付勢されて該可動部に取り付けられた突起部と、この突起部を受け入れるべく前記本体部側に設けられた凹部とで構成したことを特徴とする、請求項１に記載の携帯端末用取付装置。
【発明の詳細な説明】
【０００１】
【発明の属する技術分野】
この発明は、それぞれ別々の筐体に設けられた、第１の部材であるキーボード装置部と、第２の部材であるディスプレイ装置部と、から成る携帯端末において、前記第１の部材と第２の部材を互いに相対的にスライド可能かつ回転可能に取り付ける際に用いて好適な携帯端末用取付装置に関する。
【０００２】
【従来の技術】
近年、携帯端末中とくに携帯電話機においては、第１の部材であるキーボード装置部と第２の部材であるディスプレイ装置部を各々独立の筐体に設け、両者を不使用時には重ね合わせて第２の部材で第１の部材の上面を覆っているが、使用時には互いを相対的にスライドさせてキーボード装置部を露出するようにしたものが知られている。そして、このような構成の携帯電話機として次に示した公知文献のものが公知である。
【０００３】
【特許文献１】特開２００３−４６６２５号公開特許公報
【０００４】
上述した公知文献１に記載された携帯電話機用の取付装置は、キーボードとマイクロフォンを備えた第１の部材を構成する下部の筐体に対し、ディスプレイ部とスピーカーを備えた第２の部材を構成する上部の筐体を長手方向へスライド可能に取り付けたものである。
【０００５】
【発明が解決しようとする課題】
上述した従来公知の携帯電話機用の取付装置は、使用時に第１の部材と第２の部材を任意にスライドさせることはできたが、第２の部材を第１の部材に対して水平方向へ回転させる機能を有していないため、例えば第２の部材であるデイスプレイ部の画面表示を横長にワイドに使用したい要望があっても、当該第２の部材を横方向へ向けると第１の部材も横方向を向かざるを得ず、使い勝手が悪いという問題を生じた。
【０００６】
また、第２の部材であるディスプレイ部の画面に映像を表示させたり、文章作成をする場合には、画面を横長に使用した方が使い勝手が良いことから、取付装置がこの機能を持つことが、業界やエンドユーザーから要望されている。
【０００７】
そして、この機能は携帯電話機に限らず、同じく互いに独立した第１の部材と第２の部材から成るポケットコンピュータ、その他の携帯端末に広く要望されている。
【０００８】
そこで、この発明の目的は、互いに別々の筐体に設置され、スライドが可能に構成した第１の部材であるキーボード装置部と第２の部材であるディスプレイ装置部とから成る携帯端末において、第１の部材と第２の部材を相対的にスライドできるスライド機能と、第２の部材と第１の部材に対して水平方向へ回転させる回転機能を合わせ持った携帯端末用取付装置を提供せんとするにある。
【０００９】
以下にこの発明を携帯電話機に適用した場合について説明するが、上述したとおりこの発明は広く上述した携帯端末に実施できることは言うまでもない。
【００１０】
【課題を解決するための手段】
上述した目的を達成するためにこの発明は、キーボード部を備えた第１の部材と、ディスプレイ装置を備えた第２の部材とを、互いに別々の筐体に設けた携帯端末の、前記第１の部材と第２の部材を相対的にスライド可能かつ水平方向へ回転可能に連結するものであって、前記第１の部材と前記第２の部材のいずれか一方のものの長手方向に取り付けられるガイド長孔を備えた本体部と、この本体部に前記ガイド長孔を介してスライド可能に取り付けられ、かつ前記第１の部材と第２の部材のいずれか他方のものに取り付けられて当該他方のものを水平方向へ回転可能と成す可動部と、で構成したことを特徴とする。
【００１１】
その際にこの発明は、前記可動部を前記本体部に対しスライド可能に取り付けるに当り、前記本体部をガイド長溝を設けたケース本体とガイド長孔を設けた蓋部とで構成し、前記可動部を、前記ガイド長孔を貫通させる首部と、前記ガイド長溝に嵌合させる脚部とを備えたもので構成し、前記可動部を前記本体部に対し回転可能に取り付けるに当り、前記ガイド長溝に続いて前記脚部の旋回を許容するガイド凹部を設けたことを特徴とする。
【００１２】
この発明はまた、前記本体部と前記可動部との間に、該可動部を所定の位置で安定停止させるロック手段が設けられており、このロック手段は前記可動部の一部を挟むべく互いの対向方向へ摺動付勢されている一対のロックプレートで構成されていることを特徴とする。
【００１３】
この発明はさらに、前記第１の部材と前記第２の部材を相対的に水平方向へ回転させる手段が、前記可動部を取り付けた側の部材と該可動部との間に設けられていることを特徴とする。
【００１４】
そして、この発明は、前記可動部を所定の位置で停止させるロック手段は、一方向へ摺動付勢されて該可動部材に取り付けられたボールと、このボールを受け入れるべく前記本体部側に設けられた凹部とで構成したことを特徴とする。
【００１５】
【発明の実施の形態】
以下にこの発明の一実施の形態を図面に基づいて詳細に説明する。図１乃至図３は、この発明を実施した携帯電話機を示し、指示記号１で示したものは、第１の部材を構成する上面にキーボード１ａとマイク部１ｂを設けたキーボード装置部であり、指示記号２で示したものは、第２の部材を構成する上面にディスプレイ装置２ａとスピーカー部２ｂを設けたディスプレイ装置部である。このキーボード装置部１とディスプレイ装置部２は各々別々の筐体に設置されている。
【００１６】
指示記号３で示したものが、この発明に係るキーボード装置部１とディスプレイ装置部２を連結する取付装置であり、この取付装置３により、とくに図２に示したように、キーボード装置部１とディスプレイ装置部２は相対的に一方向へスライド可能であり、かつ、とくに図３に示したように、ディスプレイ装置部２がキーボード装置部１に対し９０°水平方向（図では右方向）へ９０°回転し、ディスプレイ装置部２の画面を横方向にワイドに使用することが可能となるように構成されている。
【００１７】
この取付装置３は、本体部４と可動部５とから成り、本体部４をキーボード装置部１の側に、可動部５をディスプレイ装置部２の側へ、取り付けるように構成されているが、本体部４をディスプレイ装置部２の側へ、可動部５をキーボード装置部１の側へ、各々取り付けるように構成しても良い。
【００１８】
図４乃至図７は、取付装置３の構成を示し、図面において、本体部４は、ケース本体６と、このケース本体６の上面に被せられる蓋体７とから成り、ケース本体６と蓋体７との間には、互いに摺動可能に対向設置された縦長の一対のロックプレート８，８と、このロックプレート８，８を互いに衝接する方向へ押圧する複数の例えばコンプレッションスプリングから成る弾性手段９と、から成るロック手段１２が設けられている。
【００１９】
ケース本体６側には、とくに図９に示したように、さらに、ロックプレート収納部６ａと、その中央部長手方向にガイド長溝６ｂと、このガイド長溝６ｂの上端部に連設したガイド凹部６ｃとが設けられている。このケース本体６の両側には、各々に取付孔６ｄを設けた複数の取付片６ｅが設けられると共に、複数のコンプレッションスプリングから成る弾性手段９を収納させる複数の収納凹部６ｆが形成されている。
【００２０】
蓋体７の中央部長手方向には、ガイド長孔７ａが形成されており、このガイド長孔７ａは、下面側に幅広部７ｂと上面側の幅狭部７ｃとから成る断面凸形状に構成されている。この蓋体７をケース本体６へ取り付ける手段は、複数のＣチャンネル形状を呈した係止部材１０であり、上下の湾曲縁部１０ａ，１０ａを、とくに図６と図１０に示したように、ケース本体６と蓋体７に設けた複数の係止溝６ｇ及び７ｄへ係合させることによって、蓋体７とケース本体６の両者をしっかりと固定している。この固定手段は一例であり、他の係合手段、或は取付ビスによっても良い。
【００２１】
ロックプレート８，８は、長細い板状の部材であり、その中央部縁部の平坦な押圧部８ａ，８ａと、両端部に形成された凹部から成るロック部８ｂ，８ｂ・８ｃ，８ｃとから構成され、両者は左右対称に用いられ同じ形状のものである。尚、弾性手段９を構成するコンプレッションスプリングの数は合計で２０本であるが、この数に限定はない。また、板バネ、ゴムその他の弾性手段を用いることも可能である。
【００２２】
上述した可動部５は、とくに図１１と図１２に示したように、雄ネジ部５ａ，５ａを設けた平面略楕円形状の取付部５ｂと、この取付部５ｂに続いて設けられ、ガイド長孔７ａの幅狭部７ｃと係合してるガイド軸部５ｃと、このガイド軸部５ｃに続いて設けられたガイド長孔７ａの幅広部７ｂと係合するガイド円盤部５ｄと、このガイド円盤部５ｄの下面に突設され、ケース本体６のガイド長溝６ｂと係合する３本のボール取付脚５ｅとから成り、このボール取付脚５ｅには一対のボールベアリング１１，１１が回転可能に係着されている。尚、図示してないが、このボールベアリング１１には潤滑オイルが塗布させてある。
【００２３】
図示の実施の携帯電話機では、図１乃至図３に示したように、取付装置３の本体部４は第１の部材であるキーボード装置部１の上面側に取り付けられ、可動部５が第２の部材であるディスプレイ装置部２の下面側に取り付けられている。キーボード装置部１の上面にディスプレイ装置部２が重ね合わせられた図１に示した状態にあっては、可動部５は、図４に実線で示したように、蓋体７に設けたガイド長孔７ａの最下端にあって、図５に示したように、ロック手段１２のロックプレート８，８のロック部８ｂ，８ｂによって挟まれることにより、弾性手段９の弾力に押されることによって、ロック状態を保っている。したがって、第１の部材であるキーボード装置部１と第２の部材であるディスプレイ装置部２とは、図１に示したように、互いに重なり合った状態で安定停止状態を保っており、外力が加えられない限り、互いにその重合位置がずれることはない。
【００２４】
次に、第１の部材であるキーボード装置部１を片手に持ち、もう一方の片手で第２の部材であるディスプレイ装置部２を図１に示した状態から上方へ（したがって、第２の部材であるディスプレイ装置部２を片手に持って、もう一方の片手で第１の部材であるキーボード装置部１を下方へ押しても同じことであるが）押すと、可動部５がロック手段１２のロックプレート８，８のロック部８ｂ，８ｂによるロックを解除され、蓋体７のガイド長孔７ａとケース本体６側のガイド長溝６ｂ内を案内されて摺動することになるので、ロックプレート８，８を、図８に示したように、弾性手段９の弾力に抗して押し開き、第１の部材であるキーボード装置部１とディスプレイ装置部２の相対的なスライドが可能となる。この際に、スライドは、可動部５がロック手段１２のロックプレート８，８によって左右から押圧されていることにより、フリーストップになされる。
【００２５】
このようにして、可動部５がガイド長孔７ａの上端部に達すると、ここで停止し、ロック手段１２のロックプレート８，８のロック部８ｃ，８ｃによって、ロックされ、安定停止させられる。この状態を示したものが、図３である。すると、キーボード１ａが露出するので、使用者がキーボード操作が可能となる。
【００２６】
使用者がここで、ディスプレイ装置部２を横長にして使用したい場合には、図３に示した状態から、右方向へ回転させると、可動部５のボール取付脚５ｅがガイド長溝６ｂに続いて設けられたガイド凹部６ｃに案内されてストッパー壁６ｈ，６ｈに当接するまで旋回可能となり、この当接した位置で９０°の回転が可能となるものである。この状態におけるキーボード装置部１に対するディスプレイ装置部２の位置を示したのが図３である。ディスプレイ装置部２はキーボード装置部１に対して９０°回転した位置にある。そして、この回転位置において、可動部５の脚部がロックプレート８，８のロック部８ｃ，８ｃの凹部８ｄ，８ｄによってロックされることにより、ディスプレイ装置部２は、キーボード本体部１に対して安定停止状態を保つことになる。
【００２７】
ディスプレイ装置部２の回転角度は実施の形態のものは９０°であるが、この回転角度に限定されない。ストッパー壁６ｈ，６ｈの位置を変えることにより、４５°、１５０°といったように任意に選択できる。
【００２８】
回転させたディスプレイ装置部２を再び元位置に戻そうとする時は、そのまま左方向へ回転させれば元の状態に戻る。そして、ディスプレイ装置部２をキーボード装置部１の上側に重ね合わさる位置に戻そうとする時には、ディスプレイ装置２が回転している時には、逆方向に回転させて元位置に戻し、ディスプレイ装置部２をキーボード装置部１に対して下方へ押すと、可動部５が本体部４の側に設けたガイド長溝６ｂとガイド長孔７ａに案内されてロックプレート８，８を弾性手段９の弾力に抗して押し開き元位置の重なり合った状態に戻り、この位置でロック手段１２のロックプレート８，８のロック部８ｂ，８ｂでロックされることになる。ディスプレイ装置部２を回転させてない時には、そのまま下方へ押すことにより、上述したようにして元位置に戻る。
【００２９】
尚、以上の実施の形態においては、取付位置３の本体部４を第１の部材であるキーボード本体部１の側に取り付けたものを示したが、この本体部４を第２の部材であるディスプレイ装置部２の側に取り付け、可動部５を第１の部材であるキーボード装置の側に取り付けても良いことは前述した。
【００３０】
次に、その他の実施の形態として、以上の実施の形態では、可動部５を本体部４に対して回転可能となるように構成したものを示したが、可動部を第１の部材１か第２の部材２へ取り付ける取付部にこの回転手段を設けても良い。例えば、可動部の取付部に弾性を付与したボールやピンから成る突起部を設け、この突起部を受け入れる凹部を、第１の部材１か第２の部材２のいずれかの係合部に設けるようにしてである。このように構成すると、可動部に取り付けた部材は、どのスライド位置においても回転できる利点を有する。
【００３１】
さらに、可動部に対するロック手段も、以上の実施の形態のもののように、弾性手段９を作用させたロックプレート８，８を設けなくとも、可動部側に弾性手段を作用させた突起部を設け、本体部の側にこの突起部を受け入れる凹部を設けるようにしても良い。
【００３２】
このように構成すると、ロック手段の構成が簡単になるという利点がある。
【００３３】
【発明の効果】
この発明は以上のように構成したので、次のような効果を奏し得る。
【００３４】
請求項１のように構成すると、簡単な構成で、第１の部材と第２の部材を相対的にスライド可能に連結し、かつ両者を相対的に水平方向へ回転可能に連結することもできることにより、使い勝手が良くなり、操作性が向上するという効果を奏し得る。
【００３５】
請求項２のように構成すると、簡単な構成で、可動部に取り付けた一対の部材を他方の部材に対して、長手方向へ安定的にスライドでき、かつ、水平方向へ回転させることができるという効果を奏し得る。
【００３６】
請求項３のように構成すると、可動部の一部が一対のロックプレートで左右から挟まれる構成となるため、可動部の本体部に対するロック状態が所定位置で安定的になされ、かつ可動部のスライド操作がしっくりとした安定性に富んだものになるという効果を奏し得る。
【００３７】
請求項４のように構成すると、可動部に取り付けた側の部材が、もう一方の部材のどの位置にあっても、回転させることが可能となるので、利便性と操作性が向上するという効果を奏し得る。
【００３８】
請求項５のように構成すると、一対のロックプレートを省略できるので、ロック手段の構成が簡単となりコストダウンを図ることが出来るという効果を奏し得る。
【図面の簡単な説明】
【図１】この発明を実施した携帯電話機の第１の部材であるキーボード装置部に第２の部材であるディスプレイ装置部を重ね合わせた状態の平面図である。
【図２】図１の状態から前記第１の部材と第２の部材を互いにスライドさせて見た平面図である。
【図３】図２の状態から第２の部材であるディスプレイ装置部を水平方向へ９０°回転させて見た平面図である。
【図４】この発明に係る取付装置の平面図である。
【図５】この発明に係る取付装置の右側面図である。
【図６】この発明に係る取付装置の断面図である。
【図７】図４に示した取付装置の蓋体を取って見た平面図である。
【図８】図６の状態において可動部の動作を説明する平面図である。
【図９】取付装置の本体部の平面図である。
【図１０】取付装置の蓋体の平面図である。
【図１１】取付装置の可動部の側面図である。
【図１２】取付装置の可動部の底面図である。
【符号の説明】
１  キーボード装置部
２  ディスプレイ装置部
３  取付装置
４  本体部
５  可動部
５ｂ  取付部
５ｃ  ガイド軸部
５ｄ  ガイド円盤部
５ｅ  ボール取付脚
６  ケース本体
７  蓋体
８  ロックプレート
８ａ  押圧部
８ｂ  ロック部
８ｃ  ロック部
９  弾性手段
１１  ボールベアリング
１２  ロック手段
【図１】
2004320549.tif 000003
【図２】
2004320549.tif 000004
【図３】
2004320549.tif 000005
【図４】
2004320549.tif 000006
【図５】
2004320549.tif 000007
【図６】
2004320549.tif 000008
【図７】
2004320549.tif 000009
【図８】
2004320549.tif 000010
【図９】
2004320549.tif 000011
【図１０】
2004320549.tif 000012
【図１１】
2004320549.tif 000013
【図１２】
2004320549.tif 000014